(57)【要約】【課題】搬送スタッフの安全を確保しながら、手軽にかつ低コストな構成で感染症患者を搬送することができる感染症患者搬送バッグを提供する。【解決手段】患者３を合成樹脂材からなるシート状の下カバー１ａ上に載せて上カバー１ｂを重ね合わせ、２重ファスナー２で両者の外周縁部を密閉して密閉空間に患者３を収容し、給排気装置６で汚染除去した空気を排気して内部を負圧した状態で、複数の搬送スタッフが各把持部１０を握って搬送を行う。【選択図】      図１
2005027841.tif 000002
【特許請求の範囲】
【請求項１】
感染症に感染した患者若しくは感染症に感染した疑いのある患者を内部に収容して搬送するための感染症患者搬送バッグであって、
収容する患者の全身が載せられる合成樹脂材からなるシート状の下カバーと、
前記下カバーと隣接する縁部同士の少なくとも一部が一体的に接合されており、前記隣接する縁部で折り返したときにその外周縁部が前記下カバーの外周縁部上に重ねられる、前記下カバー上に載せられる患者の少なくとも顔面部近傍が位置する部分が透明又は半透明な合成樹脂材からなるシート状の上カバーと、
前記下カバーと前記上カバーとを重ね合わせたときにその内部に患者を収容する密閉空間を形成するように、前記下カバーと前記上カバー同士の外周縁部を開閉自在に密閉する密閉手段と、
前記上カバーを前記下カバー上に重ねたときに、前記下カバー上に載せられる患者の少なくとも胴部近傍よりも上方に位置するようにして前記上カバーに設けた、汚染されていない空気だけを通すフィルター部と、
前記上カバーを前記下カバー上に重ねたときに、前記下カバー上に載せられる患者の少なくとも胴部近傍よりも上方に位置するようにして前記上カバーに設けた、前記密閉空間内に患者を収容したときに該密閉空間内からフィルターを通して汚染除去されたクリーンな空気だけを外に排気して前記密閉空間内を負圧にする排気装置を着脱自在に装着するための装着部と、
前記下カバーの外周縁部に所定間隔で複数取付けた、前記密閉空間内に患者を収容して搬送する際に搬送スタッフがつかむ把持部と、を備えた、
ことを特徴とする感染症患者搬送バッグ。
【請求項２】
感染症に感染した患者若しくは感染症に感染した疑いのある患者を内部に収容して搬送するための感染症患者搬送バッグであって、
収容する患者の全身が載せられる合成樹脂材からなるシート状の下カバーと、
前記下カバーと隣接する縁部同士の少なくとも一部が一体的に接合されており、前記隣接する縁部で折り返したときにその外周縁部が前記下カバーの外周縁部上に重ねられる、前記下カバー上に載せられる患者の少なくとも顔面部近傍が位置する部分が透明又は半透明な合成樹脂材からなるシート状の上カバーと、
前記下カバーと前記上カバーとを重ね合わせたときにその内部に患者を収容する密閉空間を形成するように、前記下カバーと前記上カバー同士の外周縁部を開閉自在に密閉する密閉手段と、
前記上カバーを前記下カバー上に重ねたときに、前記下カバー上に載せられる患者の少なくとも胴部近傍よりも上方に位置するようにして前記上カバーに設けた、汚染されていない空気だけを通すフィルター部と、
前記上カバーを前記下カバー上に重ねたときに、前記下カバー上に載せられる患者の少なくとも胴部近傍よりも上方に位置するようにして前記上カバーに設けた、前記密閉空間内に患者を収容したときに該密閉空間内からフィルターを通して汚染除去されたクリーンな空気だけを外に排気して前記密閉空間内を負圧にする、又は外からフィルターを通して汚染除去されたクリーンな空気だけを前記密閉空間内に給気して前記密閉空間内を正圧にするように切換え自在な給排気装置を着脱自在に装着するための装着部と、
前記下カバーの外周縁部に所定間隔で複数取付けた、前記密閉空間内に患者を収容して搬送する際に搬送スタッフがつかむ把持部と、を備えた、
ことを特徴とする感染症患者搬送バッグ。
【請求項３】
前記密閉空間内に収容される患者の少なくとも顔面部上に空間が確保されるように、患者の顔面部周囲を囲むようにして前記密閉空間内にスペーサ部材を設置する、
ことを特徴とする請求項１又は２に記載の感染症患者搬送バッグ。
【請求項４】
前記下カバー上に、前記密閉空間内に収容される患者を前記下カバー上に固定する固定部材を取付けた、
ことを特徴とする請求項１又は２に記載の感染症患者搬送バッグ。
【請求項５】
前記上カバーに、前記密閉空間内に収容される患者に対して非接触で医療処置するための一対の手袋を設けた、
ことを特徴とする請求項１又は２に記載の感染症患者搬送バッグ。
【請求項６】
前記上カバーに、前記密閉空間内に収容される患者に対して所定の医療器具を装着するための密閉自在な装着口を設けた、
ことを特徴とする請求項５に記載の感染症患者搬送バッグ。
【請求項７】
前記上カバーの内側に位置するようにして所定の大きさの収納部を前記上カバーに一体的に設け、前記収納部の前記上カバー表面側の収納口と該収納部の底部に、前記収納部の収納口と底部を開閉自在に密閉する密閉手段をそれぞれ取付けた、
ことを特徴とする請求項５に記載の感染症患者搬送バッグ。
【発明の詳細な説明】
【０００１】
【発明の属する技術分野】
本発明は、細菌やウィルスなどの感染症に感染した患者若しくは感染症に感染した疑いのある患者を収容して搬送するための感染症患者搬送バッグに関する。
【０００２】
【従来の技術】
例えば新型肺炎（重症急性呼吸器症候群：ＳＡＲＳ）などの感染症に感染した感染症患者、若しくはこれらの感染症に感染した疑いのある患者が発生した場合には、周囲の人に感染が広がらないように、かつ搬送スタッフの安全を確保して、患者を救急車で医療施設の感染症患者専用病室に迅速に搬送する必要がある。
【０００３】
しかしながら、従来では国内で深刻な感染症に感染した感染症患者の発生がほとんど報告されていないこともあり、感染症患者の発生に対して自治体での備えや装備が不十分なのが現状である。このため、最近では、新型肺炎（ＳＡＲＳ）などの感染症患者（以下、感染症に感染した疑いのある患者も含む）が発生した場合に備えて、感染症患者及び搬送スタッフを安全に搬送できるように改造した特別な救急車（感染症患者搬送車）又は隔離収容型ストレッチャーが用意されるようになってきた。
【０００４】
なお、感染症患者の搬送に用いるための本願発明に係るような感染症患者搬送バッグは従来なかった新規な発明であり、本願発明に係る感染症患者搬送バッグに対応した先行技術文献情報はありませんでした。
【０００５】
【発明が解決しようとする課題】
しかしながら、上記のような感染症患者を搬送可能な特別な救急車（感染症患者搬送車）や隔離収容型ストレッチャーは、高価なため台数はまだ少なく、多数の感染症患者が発生した場合に、迅速に対処することができない。また、このような特別な救急車（感染症患者搬送車）及び隔離収容型ストレッチャーは、感染症患者を搬送するごとに内部を完全に消毒する必要があり、運用性が悪かった。
【０００６】
また、従来では、感染症患者を専用の医療施設等に搬送する際においては、感染症患者にマスクをさせるていどなので、空気感染、飛沫感染、接触感染などによって汚染が周囲に広がるおそれがあった。
【０００７】
そこで本発明は、特に搬送スタッフの安全を確保しながら、手軽にかつ低コストな構成で感染症患者の搬送を行うことができる感染症患者搬送バッグを提供することを目的とする。
【０００８】
【課題を解決するための手段】
上記目的を達成するために請求項１に記載の発明は、感染症に感染した患者若しくは感染症に感染した疑いのある患者を内部に収容して搬送するための感染症患者搬送バッグであって、収容する患者の全身が載せられる合成樹脂材からなるシート状の下カバーと、前記下カバーと隣接する縁部同士の少なくとも一部が一体的に接合されており、前記隣接する縁部で折り返したときにその外周縁部が前記下カバーの外周縁部上に重ねられる、前記下カバー上に載せられる患者の少なくとも顔面部近傍が位置する部分が透明又は半透明な合成樹脂材からなるシート状の上カバーと、前記下カバーと前記上カバーとを重ね合わせたときにその内部に患者を収容する密閉空間を形成するように、前記下カバーと前記上カバー同士の外周縁部を開閉自在に密閉する密閉手段と、前記上カバーを前記下カバー上に重ねたときに、前記下カバー上に載せられる患者の少なくとも胴部近傍よりも上方に位置するようにして前記上カバーに設けた、汚染されていない空気だけを通すフィルター部と、前記上カバーを前記下カバー上に重ねたときに、前記下カバー上に載せられる患者の少なくとも胴部近傍よりも上方に位置するようにして前記上カバーに設けた、前記密閉空間内に患者を収容したときに該密閉空間内からフィルターを通して汚染除去されたクリーンな空気だけを外に排気して前記密閉空間内を負圧にする排気装置を着脱自在に装着するための装着部と、前記下カバーの外周縁部に所定間隔で複数取付けた、前記密閉空間内に患者を収容して搬送する際に搬送スタッフがつかむ把持部と、を備えたことを特徴としている。
【０００９】
また、請求項２に記載の発明は、感染症に感染した患者若しくは感染症に感染した疑いのある患者を内部に収容して搬送するための感染症患者搬送バッグであって、収容する患者の全身が載せられる合成樹脂材からなるシート状の下カバーと、前記下カバーと隣接する縁部同士の少なくとも一部が一体的に接合されており、前記隣接する縁部で折り返したときにその外周縁部が前記下カバーの外周縁部上に重ねられる、前記下カバー上に載せられる患者の少なくとも顔面部近傍が位置する部分が透明又は半透明な合成樹脂材からなるシート状の上カバーと、前記下カバーと前記上カバーとを重ね合わせたときにその内部に患者を収容する密閉空間を形成するように、前記下カバーと前記上カバー同士の外周縁部を開閉自在に密閉する密閉手段と、前記上カバーを前記下カバー上に重ねたときに、前記下カバー上に載せられる患者の少なくとも胴部近傍よりも上方に位置するようにして前記上カバーに設けた、汚染されていない空気だけを通すフィルター部と、前記上カバーを前記下カバー上に重ねたときに、前記下カバー上に載せられる患者の少なくとも胴部近傍よりも上方に位置するようにして前記上カバーに設けた、前記密閉空間内に患者を収容したときに該密閉空間内からフィルターを通して汚染除去されたクリーンな空気だけを外に排気して前記密閉空間内を負圧にする、又は外からフィルターを通して汚染除去されたクリーンな空気だけを前記密閉空間内に給気して前記密閉空間内を正圧にするように切換え自在な給排気装置を着脱自在に装着するための装着部と、前記下カバーの外周縁部に所定間隔で複数取付けた、前記密閉空間内に患者を収容して搬送する際に搬送スタッフがつかむ把持部と、を備えたことを特徴としている。
【００１０】
また、前記密閉空間内に収容される患者の少なくとも顔面部上に空間が確保されるように、患者の顔面部周囲を囲むようにして前記密閉空間内にスペーサ部材を設置することを特徴としている。
【００１１】
また、前記下カバー上に、前記密閉空間内に収容される患者を前記下カバー上に固定する固定部材を取付けたことを特徴としている。
【００１２】
また、前記上カバーに、前記密閉空間内に収容される患者に対して非接触で医療処置するための一対の手袋を設けたことを特徴としている。
【００１３】
また、前記上カバーに、前記密閉空間内に収容される患者に対して所定の医療器具を装着するための密閉自在な装着口を設けたことを特徴としている。
【００１４】
また、前記上カバーの内側に位置するようにして所定の大きさの収納部を前記上カバーに一体的に設け、前記収納部の前記上カバー表面側の収納口と該収納部の底部に、前記収納部の収納口と底部を開閉自在に密閉する密閉手段をそれぞれ取付けたことを特徴としている。
【００１５】
【発明の実施の形態】
以下、本発明を図示の実施の形態に基づいて説明する。
【００１６】
〈実施の形態１〉
図１は、本発明の実施の形態１に係る感染症患者搬送バッグを示す斜視図、図２は、本発明の実施の形態１に係る感染症患者搬送バッグを開いた状態を示す平面図である。
【００１７】
本実施の形態に係る感染症患者搬送バッグ１は、長方形のシート状の下カバー１ａと外周縁部を除いた部分１ｂ′が略透明のシート状の上カバー１ｂとを備え、２重ファスナー２によって下カバー１ａと上カバー１ｂは密閉良好に開閉自在である。下カバー１ａと上カバー１ｂは、仰向け状態で一般的な体格の人（以下、患者という）３が余裕で載せられる大きさ（例えば、縦（長手）方向の寸法が２００ｃｍで、横（短手）方向の寸法が１００ｃｍ）であり、下カバー１ａ上に上カバー１ｂを重ねたときに両者の外周縁部同士が重なり合うように形成されている。
【００１８】
下カバー１ａと上カバー１ｂは、耐破断性や耐候性等に優れた合成樹脂材（例えばポリエステルなど）で形成されており、使用しない通常時には丸めたり、折り畳んでコンパクトに収納することができる。また、下カバー１ａは特に丈夫に形成されている。
【００１９】
上カバー１ｂの周囲にはまちが形成されており、下カバー１ａ上に２重ファスナー２で閉じたときにその内部に十分な広さの患者を収容する密閉空間を確保することができ、更に、２重ファスナー２で下カバー１ａと上カバー１ｂを閉じる前に、中に収容した患者３の顔面部を跨ぐようにしてアーチ状のスペーサ部材４を設置することにより、上カバー１ｂが収容した患者３の顔面部の鼻や口に密着することはない。
【００２０】
下カバー１ａと上カバー１ｂは、図２に示すように、両者の隣接する長辺部の中央の接合部１ｃで両者の縁部同士が一体的に接合されており、２重ファスナー２によって接合部１ｃの両側から閉じることができる。なお、下カバー１ａと上カバー１ｂを良好に、かつ不用意に開かないように密閉できるファスナーであれば、１重ファスナーでもよい。
【００２１】
上カバー１ｂの、感染症患者搬送バッグ１内の密閉空間に収容される患者３の顔面部近傍が位置する両側部には、細菌やウィルスを通さずに汚染されていないクリーンな空気だけを通すことができるフィルター部５ａ、５ｂがそれぞれ取付けられている。また、上カバー１ｂの、感染症患者搬送バッグ１内の密閉空間に収容される患者３の頭部近傍が位置する上方（上カバー１ｂの上端部）には、装着向きを換えることによって感染症患者搬送バッグ１内の密閉空間に対して排気と給気の切換えが可能な小型で軽量な給排気装置６が装着される装着部１ｄが設けられている。
【００２２】
更に、上カバー１ｂの、感染症患者搬送バッグ１内の密閉空間に収容される患者３の両肩近傍が位置する部分には、内部に収容した患者３に対して医者が直接触れずに外から簡単な治療や診断等を行えるように一対の手袋７ａ、７ｂが取付けられている。手袋７ａ、７ｂは収縮自在な材質で形成されている。
【００２３】
また、図１〜図３に示すように、上カバー１ｂの、感染症患者搬送バッグ１内の密閉空間に収容される患者３の頚部近傍が位置する部分には、内部に収容した患者３に対して人口呼吸器の管や輸血用や点滴用の管などの医療器具の管（不図示）を装着するための装着口１ｅが設けられており、装着口１ｅには、上記の医療器具の管を装着していないときにこの装着口１ｅを密閉する取外し自在な蓋８が取付けられている。
【００２４】
即ち、患者３に対して例えば人口呼吸器（不図示）を取付ける必要がある場合には、感染症患者搬送バッグ１内の密閉空間に患者３を収容したときに予め患者３に人口呼吸器（不図示）を装着し、手袋７ａ、７ｂを介して非接触でこの人口呼吸器に、蓋８を外して開口した装着口１ｅを通して外部の人口呼吸器本体（不図示）に連結されている管（不図示）を装着する。なお、この管（不図示）は装着口１ｅに密着して装着されるように構成されているので、装着口１ｅから内部の汚染されている空気が外に漏れることはない。
【００２５】
また、上カバー１ｂの、感染症患者搬送バッグ１内の密閉空間に収容される患者３の腕近傍が位置する片方の側面部分には、治療器具や薬品類などを収納するための袋状の収納部１ｆが一体的に形成されており、下カバー１ａ上に上カバー１ｂを重ね２重ファスナー２で閉じた際に、この収納部１ｆは感染症患者搬送バッグ１内の密閉空間に位置する。
【００２６】
収納部１ｆの上カバー１ｂ表面側の収納口とその底部には、それぞれファスナー（１重ファスナー）１ｇ、１ｈが取付けられており、各ファスナー１ｇ、１ｈによって収納部１ｆの収納口と底部をそれぞれ独立して開閉することができる。ファスナー１ｇ、１ｈの少なくともどちらか一方を閉じていれば、感染症患者搬送バッグ１内の汚染された空気が収納部１ｆを通して外に漏れることはない。
【００２７】
下カバー１ａ上には、収容される患者３が仰向けに寝た状態で搬送時に動かないように肩部と胴部をそれぞれ固定するマジックテープ式の固定ベルト９ａ、９ｂ、９ｃが取付けられている。また、下カバー１ａの各長辺部の両縁部には、複数の搬送スタッフが手で持って感染症患者搬送バッグ１を搬送するための複数（図では、片方に４つ）の把持部１０が取付けられている。
【００２８】
上カバー１ｂの装着部１ｄに装着される給排気装置６は、図４に示すように、その両端部に感染症患者搬送バッグ１内を負圧（陰圧）にする際に装着部１ｄに装着する排気用管１１と、感染症患者搬送バッグ１内を正圧（陽圧）にする際に装着部１ｄに装着する給気用管１２をそれぞれ有し、内部には細菌やウィルスを通さずに汚染されていないクリーンな空気だけを通すことができる取外し自在なフィルター１３と、モータ１５に連結されたファン１４と、モータ１５を回転駆動するための電池１６を備えている。
【００２９】
電池１６はどこでも容易に手に入る一般的な乾電池である。排気用管１１と給気用管１２は、フレキシブルな管であり自由に曲げることができる。また、上カバー１ｂの装着部１ｄには、給排気装置６の排気用管１１又は給気用管１２を装着した際に不用意に外れないようにロック部（不図示）が設けられている。更に、給排気装置６には、車やヘリコプターなどに備えられている電源（直流電源）からケーブルを介して電力供給ができるように外部電力端子（不図示）を備えている。
【００３０】
感染症患者搬送バッグ１は、患者（感染症患者若しくはその疑いのある患者）３を一回搬送するごとに廃棄（焼却）処分し、給排気装置６は、内部のフィルター１３を交換して再利用する。また、感染症患者搬送バッグ１をまだ使用していない未使用時には、図５に示すように、コンパクトに丸めた状態で、取外している給排気装置６と一緒に保管しておくことができる。
【００３１】
次に、上記した本発明の実施の形態１に係る感染症患者搬送バッグ１の取り扱いについて説明する。
【００３２】
例えば新型肺炎（ＳＡＲＳ）などの感染症患者若しくはその疑いのある患者が発生した場合に、複数の搬送スタッフ（不図示）はコンパクトに丸められている感染症患者搬送バッグ（図５参照）１と給排気装置６とを持って、患者がいる場所に駆けつける。この際、搬送スタッフは防護マスク、状況によっては防護服も同時に身につけて防備している。
【００３３】
そして、図２に示すように、感染症患者搬送バッグ１を床や地面上に開いて下カバー１ａ上に患者３を仰向けに寝せ、搬送中に患者３の位置が片寄ったり動かないように各固定ベルト９ａ、９ｂ、９ｃで肩部と胴部を固定する。そして、別に用意しておいたアーチ状のスペーサ部材４を患者３の顔面部を跨ぐようにして下カバー１ａ上に配置して、上カバー１ｂを接合部１ｃで折り返して下カバー１ａ上に重ね、２重ファスナー２で両者の外周縁部を閉じて感染症患者搬送バッグ１を素早く密閉して内部の密閉空間に患者３を収容し、患者３を外部から隔離する。
【００３４】
なお、患者３を収容して２重ファスナー２で感染症患者搬送バッグ１を密閉する前に、上カバー１ｂに取付けた手袋７ａ、７ｂを通して救急車内や医療施設等で治療を行うための薬品類や治療用具を収めた小さい容器（不図示）を感染症患者搬送バッグ１内に入れておく。
【００３５】
そして、感染症患者搬送バッグ１の装着部１ｄに、排気用管１０を装着するようにして給排気装置６を連結し、モータ１５を駆動してファン１４を回転させて一定量の排気を行い、感染症患者搬送バッグ１内を大気圧に対して少し負圧にし、感染症患者搬送バッグ１内の汚染された空気がフィルター部５ａ、５ｂや２重ファスナー２で閉じた隙間から外部に漏れるのを確実に防止する。この際、フィルター部５ａ、５ｂを通して感染症患者搬送バッグ１内に汚染されていないクリーンな空気が供給され、給排気装置６内のフィルター１２で細菌やウィルスの透過を防止して汚染のないクリーンな空気を排気する。
【００３６】
これにより、感染症患者搬送バッグ１内の換気を行うことができるので、患者３の自発呼吸を確保することができる。この際、感染症患者搬送バッグ１内の患者３は、アーチ状のスペーサ部材４によって上カバー１ｂが顔面部の鼻や口に密着することはなく、安定した呼吸動作を確保することができる。
【００３７】
即ち、感染症患者搬送バッグ１内の密閉空間に収容される患者３の顔面部上に、スペーサ部材４によってその周囲に十分な空間が確保されることにより、患者３の顔面部の両側に位置するようにして上カバー１ｂの両側部にフィルター部５ａ、５ｂを設けたことで、給排気装置６で排気して感染症患者搬送バッグ１内の密閉空間を負圧にする場合に、このフィルター部５ａ、５ｂを通してクリーンな空気を患者３の口や鼻に安定して効果的に供給することができる。なお、フィルター部５ａ、５ｂを、収容される患者３の胴部より上方で患者３の口や鼻から遠く離れていない位置に取付ければ、問題なくクリーンな空気を患者３の口や鼻に供給することができる。
【００３８】
更に、感染症患者搬送バッグ１内の密閉空間に収容される患者３の顔面部上に、スペーサ部材４によってその周囲に十分な空間が確保されることにより、患者３の頭部の上方に位置するようにして設けた装着部１ｄに給排気装置６を装着することで、給排気装置６で安定して効果的に排気することができるので、感染症患者搬送バッグ１の密閉空間内を安定して換気することができる。なお、給排気装置６を装着する装着部１ｄを、収容される患者３の胴部より上方で患者３の口や鼻から遠く離れていない位置に取付ければ、問題なく排気を行うことができる。
【００３９】
そして、この状態で数人の搬送スタッフが感染症患者搬送バッグ１の長手方向の両側から各把持部１０を握って持ち上げて搬送し、例えば近くに待機させているストレッチャー（不図示）の上に載せて、救急車で専用の医療施設に移送する。
【００４０】
なお、感染症患者搬送バッグ１内の密閉空間に患者３を収容して搬送スタッフで搬送する際において、給排気装置６は感染症患者搬送バッグ１の外側で垂れ下がった状態となるが、給排気装置６は軽量でコンパクトであり、かつ給排気装置６の排気用管１１が上カバー１ｂの装着部１ｄにロック部（不図示）によって確実に装着されているので、給排気装置６が外れたり、搬送の邪魔になることはない。
【００４１】
また、給排気装置６は、収容される患者３の頭部側が位置する感染症患者搬送バッグ１の上端部に装着されることにより、感染症患者搬送バッグ１の長辺部側に取付けた各把持部１０を持って搬送する搬送スタッフに邪魔になることもなく、排気が搬送スタッフにかかることもない。
【００４２】
また、感染症患者搬送バッグ１内に患者３を収容して搬送する際に、感染症患者搬送バッグ１の両側の各長辺部の縁部に沿って一対の長棒（不図示）を各把持部１０に通して担架のようにして、各長棒の前後を持って搬送することもできる。また、感染症患者搬送バッグ１内に患者３を収容して搬送する際に、感染症患者搬送バッグ１の下カバー１ａの下面に剛性を有する薄板（不図示）を置いて、この薄板の前後を持って搬送することもできる。
【００４３】
また、感染症患者搬送バッグ１の上カバー１ｂに手袋７ａ、７ｂを取付けているので、救急車内や医療施設などおいて医者はこの手袋７ａ、７ｂを通して、感染症患者搬送バッグ１内に入れておいた前記容器（不図示）から薬品類や治療用具を取り出して必要な治療を安全に行うことができる。また、上カバー１ｂの大部分は透明なので、患者３の全身の様子を見ながら治療や観察を行うことができる。
【００４４】
また、薬品類や治療用具を入れた前記容器（不図示）を感染症患者搬送バッグ１内に患者３を収容する際に感染症患者搬送バッグ１内に入れておかなかった場合でも、感染症患者搬送バッグ１内に患者３を収容した後において、収納部１ｆの底部のファスナー１ｈを閉じた状態で収納部１ｆ内に薬品類や治療用具を収納して、収納口のファスナー１ｇを閉じておくことにより、必要に応じて医者は手袋７ａ、７ｂを通して収納部１ｆの底部のファスナー１ｈを開けることによって収納部１ｆ内から薬品類や治療用具を取り出して必要な治療を安全に行うことができる。
【００４５】
この際、収納部１ｆの収納口のファスナー１ｇは閉じられているので、感染症患者搬送バッグ１内の汚染された空気が漏れることはない。なお、この場合は収納部１ｆの底部のファスナー１ｈが開けられることにより、収納部１ｆには汚染された空気が充満しているので、収納口のファスナー１ｇを開けて再度別の薬品類や治療用具を入れることはできない。
【００４６】
また、患者３に対して例えば人口呼吸器（不図示）を取付ける必要がある場合などには、感染症患者搬送バッグ１内の密閉空間に患者３を収容したときに予め患者３に人口呼吸器（不図示）を装着し、この人口呼吸器に、蓋８を外して開口した装着口１ｅを通して外部の人口呼吸器本体（不図示）に連結されている管（不図示）を装着することができるので、感染症患者搬送バッグ１内に収容した患者３に対して安全に必要な処置を行うことができる。
【００４７】
そして、感染症患者搬送バッグ１内に患者３を収容した状態で専用の医療施設に搬送した後においては、この感染症患者搬送バッグ１を廃棄（焼却）処分し、給排気装置６は、内部のフィルター１３を交換して再利用する。
【００４８】
このように本実施の形態に係る感染症患者搬送バッグ１は、未使用時には丸められて軽量でコンパクトな状態なので手軽に持ち運びすることができることにより、感染症患者（若しくはその疑いのある患者）がどこで発生しても迅速に駆けつけて、素早く容易に感染症患者を収容して安全に搬送することができる。
【００４９】
また、感染症患者を感染症患者搬送バッグ１内に収容した状況で、感染症患者搬送バッグ１内をフィルター１３を通して排気して負圧にすることにより、感染症患者搬送バッグ１内の汚染された空気が外に漏れることはないので、感染症患者搬送バッグ１を搬送する搬送スタッフの安全を確実に確保することができ、かつ周囲の環境汚染を防止することができる。
【００５０】
更に、感染症患者搬送バッグ１は、合成樹脂材からなる下カバー１ａと上カバー１ｂを２重ファスナー２で密閉自在に開閉するだけなので、メンテナンス性もよく、また、製作も容易なので低コスト化を図ることができる。
【００５１】
また、感染症患者搬送バッグ１は、使用しないときは丸めたり、折り畳んでコンパクト状態にして保管することができるので、狭いスペースでも多数収納して保管することができる。
【００５２】
〈実施の形態２〉
上記した実施の形態１では、給排気装置６の排気用管１１側を上カバー１ｂの装着部１ｄに装着して感染症患者搬送バッグ１内を負圧にする構成であったが、本実施の形態では、図６に示すように、給排気装置６の給気用管１２側を上カバー１ｂの装着部１ｄに装着して、感染症患者搬送バッグ１内を大気圧に対して正圧にする構成である。他の構成は図１〜図５に示した実施の形態１と同様であり、重複する説明は省略する。
【００５３】
即ち、給排気装置６の給気用管１２を上カバー１ｂの装着部１ｄに装着することにより、図４に示す内部のファン１４の回転によってフィルター１３を通して汚染を除去したクリーンな空気を外から給気し、患者３を収容した感染症患者搬送バッグ１内が大気圧に対して少し高くなるように正圧にする。
【００５４】
感染症患者搬送バッグ１内を正圧にする状況としては、例えば感染症患者（若しくはその疑いのある患者）が発生した特定地域が既に細菌やウィルスによって重度に汚染されている場合（或いは汚染されている可能性がある場合）が想定される。このような状況下においても、上述した本発明の感染症患者搬送バッグ１を用いて迅速に患者３を感染症患者搬送バッグ１内に収容することにより、感染症患者搬送バッグ１内に汚染された空気が入るのを確実に防止して、安全な地域まで搬送することができる。
【００５５】
上述した各実施の形態１、２では、上カバー１ｂの装着部１ｄへの装着の向きを逆にすることによって感染症患者搬送バッグ１内の密閉空間を負圧又は正圧にすることができる給排気装置６を用いた構成であったが、排気専用の排気装置を上カバー１ｂの装着部１ｄに装着するようにしてもよい。
【００５６】
この場合は、上述した実施の形態１と同様に感染症患者搬送バッグ１内の密閉空間を負圧にすることができるので、感染症患者搬送バッグ１内の汚染された空気が外に漏れることが防止されることにより、感染症患者搬送バッグ１を搬送する搬送スタッフの安全を確実に確保することができ、かつ周囲の環境汚染を防止することができる。更に、この場合は排気専用の排気装置を用いることにより、上記した給排気装置を用いる場合よりもコストの低減を図ることができる。
【００５７】
また、上記した感染症患者搬送バッグ１は一般的な体格の人（患者）を搬送する場合に用いる構成であったが、子供や大きな体格の人でも収容できるように、複数のサイズの感染症患者搬送バッグ１を用意しておくことにより、子供から大きな体格の人まで全てに人（患者）に対応することができる。
【００５８】
また、上述した各実施の形態１、２における感染症患者搬送バッグ１は、感染症患者を搬送する以外にも、例えば放射能などで汚染された人間を搬送する場合などにおいても用いることができる。
【００５９】
【発明の効果】
以上説明したように本発明に係る感染症患者搬送バッグは、合成樹脂材からなるシート状の上カバーと下カバーとを重ね合わせ、外周縁部を密閉して使用する構成により、未使用時には丸めたり折り畳むことによって軽量でコンパクトな状態なので手軽に持ち運びすることができるので、感染症患者（若しくはその疑いのある患者）がどこで発生しても迅速に駆けつけて、素早く容易に感染症患者を収容して安全に搬送することができる。
【００６０】
また、本発明に係る感染症患者搬送バッグは、感染症患者（若しくはその疑いのある患者）を感染症患者搬送バッグ内に収容した状況で、装着される給排気装置（又は排気装置）による排気によって感染症患者搬送バッグ内を負圧にすることができるので、感染症患者搬送バッグ内の汚染された空気が外に漏れることが防止されることによって、感染症患者搬送バッグを搬送する搬送スタッフの安全を確実に確保することができ、かつ周囲の環境汚染を防止することができる。
【００６１】
また、本発明に係る感染症患者搬送バッグは、合成樹脂材からなるシート状の上カバーと下カバーとを重ね合わせて密閉手段で密閉する簡易な構成により、メンテナンス性もよく、また、製作も容易なので低コスト化を図ることができる。
【図面の簡単な説明】
【図１】本発明の実施の形態１に係る感染症患者搬送バッグを示す斜視図。
【図２】本発明の実施の形態１に係る感染症患者搬送バッグを開いた状態を示す平面図。
【図３】本発明の実施の形態１に係る感染症患者搬送バッグの上カバーに形成した、蓋で密閉自在な装着口を示す断面図。
【図４】本発明の実施の形態１に係る感染症患者搬送バッグに装着される給排気装置を示す一部破断した断面図。
【図５】本発明の実施の形態１に係る感染症患者搬送バッグと給排気装置の収納時を示す斜視図。
【図６】本発明の実施の形態２に係る感染症患者搬送バッグを示す斜視図。
【符号の説明】
１        感染症患者搬送バッグ
１ａ      下カバー
１ｂ      上カバー
１ｄ      装着部
１ｅ      装着口
１ｆ      収納部
２        ２重ファスナー（密閉手段）
４        スペーサ部材
５ａ、５ｂ        フィルター部
６        給排気装置
７ａ、７ｂ        手袋
８        蓋
９ａ、９ｂ        固定ベルト（固定部材）
１０      把持部
１１      排気用管
１２      給気用管
１３      フィルター
１４      ファン
【図１】
2005027841.tif 000003
【図２】
2005027841.tif 000004
【図３】
2005027841.tif 000005
【図４】
2005027841.tif 000006
【図５】
2005027841.tif 000007
【図６】
2005027841.tif 000008